(57)【特許請求の範囲】
【請求項１】
導光体と、この導光体の一端に設けられ、害虫を誘引する紫外線を照射する光源と、を備えた害虫防除器具であって、
前記導光体は、内部が中空であり、内表面において光を導光すると共に、外表面に光を出射する構成を有し、且つ前記導光体の内外を連通し、外方から内方に害虫を引き入れる孔部が設けられており、
前記導光体の他の一端に可視光線を照射する光源が設けられていることを特徴とする害虫防除器具。
【請求項２】
前記孔部を通じて、前記導光体の外部から前記紫外線を照射する光源に向かって気流を生じさせる気流発生部を更に備えたことを特徴とする請求項１に記載の害虫防除器具。
【請求項３】
請求項１又は請求項２に記載の害虫防除器具の取付構造であって、
前記紫外線を照射する光源が、前記孔部よりも高い位置に設置されることを特徴とする害虫防除器具の取付構造。
【発明の詳細な説明】
【技術分野】
【０００１】
本発明は、導光体を用いて紫外線を照射して害虫を誘引し駆除する害虫防除器具及びその取付構造に関する。
【背景技術】
【０００２】
一般に、蚊やハエ等の飛翔昆虫類を誘引しやすい光の分光分布は、波長約２５０ｎｍ〜約４１０ｎｍの紫外領域にピークがあると考えられており、従来から、近紫外線及び青色光を照射することにより害虫を誘引して捕獲・駆除する装置が知られている。
【０００３】
例えば、特許文献１に示されるように、紫外線光源から光ファイバーを介して紫外線を照射し、この紫外線に誘引された虫を高圧伝導線に接触させて感電死させる害虫駆除装置が知られている。
【０００４】
また、特許文献２に示されるように、アクリルやポリカーボネート等の光透過性のある材料から成る導光板の一端に近紫外線及び青色光を照射する冷陰極蛍光灯を配置することにより、冷陰極蛍光灯から出射される光の指向性を高め、これに誘引された虫を導光板の上部に供えられた粘着性の捕虫シートで捕らえる捕虫器が知られている。
【特許文献１】実登３１０５７２０号公報
【特許文献２】特開２００３−３３３９７０号公報
【発明の開示】
【発明が解決しようとする課題】
【０００５】
しかしながら、上記の特許文献１に示される害虫駆除装置は、虫を捕殺する際に電撃音が鳴ったり、周囲に虫の死骸が飛び散ったりするため、一般の照明器具と併用するには適さない。また、特許文献２に示される捕虫器は、虫の誘引のために近紫外線及び青色光を照射するものであって、通常の照明器具として使用されることを想定したものではない。また、導光板表面に虫の死骸が付着する等により汚れてしまい、導光板のメンテナンスが必要となり、その手間は煩雑なものとなる。
【０００６】
本発明は、上記課題を解決するものであり、通常の照明器具として使用され、また、光源から照射される光により害虫を誘引して捕獲することができ、且つ捕虫効率を維持するためのメンテナンスも容易である害虫用防除器具及びその取付構造を提供することを目的とする。
【課題を解決するための手段】
【０００７】
上記課題を解決するために、請求項１の発明は、害虫防除器具において、導光体と、この導光体の一端に設けられ、害虫を誘引する紫外線を照射する光源と、を備えた害虫防除器具であって、前記導光体は、内部が中空であり、内表面において光を導光すると共に、外表面に光を出射する構成を有し、且つ前記導光体の内外を連通し、外方から内方に害虫を引き入れる孔部が設けられており、前記導光体の他の一端に可視光線を照射する光源が設けられているものである。
【０００８】
また、請求項２の発明は、請求項１に記載の害虫防除器具において、前記孔部を通じて、前記導光体の外部から前記紫外線を照射する光源に向かって気流を生じさせる気流発生部を更に備えたものである。
【０００９】
請求項３の発明は、請求項１又は請求項２に記載の害虫防除器具の取付構造であって、前記紫外線を照射する光源が、前記孔部よりも高い位置に設置されるものである。
【発明の効果】
【００１０】
請求項１の発明によれば、紫外線に誘引された害虫を、導光体の内外を連通する孔部から導光体の内部に引き入れて捕獲することができ、且つ紫外線光源が備えられていない導光体の一端に可視光源が備えられているので、紫外線光源と可視光源を切替える、又はこれら併用することにより、通常の照明器具としても使用することができる。
【００１１】
請求項２の発明によれば、気流発生部の作用により、気流発生部が備えられた紫外線光源の近傍に害虫を誘引して、効率的に捕獲することができるようになるので、導光体内部の全域又は可視光源の近傍に害虫が滞留することがなく、導光体の内部や可視光源が害虫の死骸等で汚れることがない。そのため、害虫防除器具として使用される際には、捕虫効率を維持するメンテナンスの手間が軽減され、また、通常の照明器具として使用される際には、快適な照明環境が与えられる。また、気流発生部のみをメンテナンスすればよく、害虫防除器具全体にわたるメンテナンスの手間が軽減される。
【００１２】
請求項３の発明によれば、害虫が上方に飛行する習性を利用することができる害虫防除器具の取付構造を用いたので、導光体の内部に引き入れられた害虫は、効果的に紫外線光源の配置された方向へと誘引され、より的確に害虫を捕獲できるようになる。
【発明を実施するための最良の形態】
【００１３】
本発明の一実施形態に係る害虫防除器具について図１を参照して説明する。害虫防除器具１は、導光体２と、紫外線を照射する光源３（以下、紫外線光源）と、気流発生部４と、可視光線を照射する光源５（以下、可視光源）と、から構成される。また、導光体２は、その内表面において光を導光すると共に、外表面に光を出射する構成を有しており、また、導光体２の内外を連通する孔部２０が設けられている。
【００１４】
上記の孔部２０は、導光体２の内外を連通し、外方から内方に害虫６及び後述する気流７を導入するものである。この孔部２０の形状や大きさ、設置間隔は任意の設計事項であるが、孔部２０が過度に多く設けられると、導光体２が照明器具としての機能を十分に発揮できず、また強度不足となる虞がある。一方、孔部２０が少なすぎると害虫６を十分に導光体２内に引き入れることができなくなる。本実施形態においては、導光体２の光出射面側に、例えば、内径約１ｃｍの略円形の孔部２０が約５ｃｍ間隔で設けられるものとする。
【００１５】
ここで、本実施形態の害虫防除器具１に適用される導光体２を備えた汎用の照明器具の構成とその発光原理について、図２（a）（ｂ）を参照して説明する。この照明器具は、汎用の可視光源５と、この可視光源５から出射された可視光線Ｌ１を導光する導光体２と、を備えたものである。この導光体２も汎用のものであり、導光フィルム２１、反射層２２及び拡散層２３から構成される。また、導光フィルム２１の外周には皮膜状に保護フィルム２４が形成されている。導光体２の内径や長さは、照明器具の使用条件に応じて任意のものが選択される。
【００１６】
導光フィルム２１は、透光性樹脂材料から成るフィルムを円筒状に巻き上げたものであって、その内表面がプリズムとなっている。この導光フィルム２１の内表面に到達した光のうち、導光フィルム２１の内表面に対して入射角の小さい光は全反射され、一方、入射角の大きい光は透過して導光フィルム２１外へ出射される。
【００１７】
反射層２２は、例えば、アルミ蒸着されたポリエステル等から成る薄膜であって、導光フィルム２１の外周面の略半分を覆うように配置される。この反射層２２は、導光フィルム２１を透過した光を反射させて任意の方向へ照射させる。
【００１８】
拡散層２３は、例えば、表面がブラスト処理されたポリエステル等から成る薄膜であって、導光フィルム２１の内周面の一部に配置される。この拡散層２３は、導光フィルム２１の内周面で反射して伝播された可視光線Ｌ１を拡散反射させ、導光体２から照射方向へ出射される可視光線Ｌ１の均斉度を向上させる。
【００１９】
保護フィルム２４は、導光フィルム２１や反射層２２を保護する透光性樹脂から成る薄膜であり、本実施形態に係る害虫防除器具１にも適用されるが、本実施形態を示す図面においては、その記載を省略している。
【００２０】
上記構成において、可視光源５から放射され、導光フィルム２１の内表面に到達した可視光線Ｌ１のうち、導光フィルム２１の内表面に対して入射角の小さい光は、全反射されて導光体２内を伝播する。また、導光体２内を伝播する光の一部は、拡散層２３によって拡散反射される。この拡散反射された光のうち、導光フィルム２１の内表面に対して入射角の大きい光は、導光フィルム２１を透過する。この導光フィルム２１を透過した光のうち、反射層２２が配置された方へ向かった光は、反射層２２により反射されて再び導光フィルム２１に入射して導光体２内を伝播する。一方、反射層２２が配置されていない方へ向かった光は、そのまま導光体２の外へ照射される。このように、可視光源５から放射された可視光線Ｌ１は、導光フィルム２１によって全反射され、拡散層２３によって拡散反射され、また、反射層２２によって反射されることによって、結果的に、導光フィルム２１の反射層２２が配置されていない側から概ね均質に放射される。
【００２１】
再び、本実施形態の害虫防除器具１における紫外線光源３、可視光源５及び気流発生部４の詳細構成について、図３を参照して説明する。紫外線光源３は、紫外線ランプ３０を照射用開口部以外の箇所を反射板３１で覆って成るものであり、導光体２の一方の端部に気流発生部４を介して取り付けられる。この紫外線ランプ３０及び反射板３１は汎用のものが用いられ、必要ならば任意の光学部材（図示せず）が用いられる。なお、紫外線光源３から出射される紫外線Ｌ２は、波長が約３５０ｎｍ〜約４１０ｎｍの近紫外線が好ましく、より好ましくは波長が約３６５ｎｍのものである。害虫防除器具１は、照明器具としても使用されるので、その使用環境を考慮すると、波長が３００ｎｍ以下のものは人間の目に害となる虞があって好ましくない。
【００２２】
可視光源５は、紫外線光源３と同様に、汎用の可視光ランプ５０と反射板５１とから成るものであり、紫外線光源３が取り付けられていない側の導光体２の端部に取り付けられる。また、可視光源５には、特定の波長の光をカットする光フィルタが備えられてもよい。
【００２３】
気流発生部４は、プラスチック等から成る円筒部４０と、円筒部４０の外周面に設けられた開口部４１に接続され、円筒部４０の外方へ延出した捕虫ボックス４２と、を備えたものである。
【００２４】
上記円筒部４０は、導光体２と紫外線光源３とを接続するジョイントとして機能すると共に、円筒部４０の外周面に設けられた開口部４１を介して捕虫ボックス４２の取り付けを可能とする。また、円筒部４０の内表面に、例えば、アルミ蒸着させたポリエステルから成る反射膜（図示せず）を形成して、紫外線光源３から出射された紫外線Ｌ２が効果的に反射されて導光体２へ伝播されるような構成にしてもよい。
【００２５】
上記捕虫ボックス４２は、ファン４３と、ファン４３と円筒部４０との間に設けられ、害虫６を捕獲する粘着シート４４と、を備えたものである。この捕虫ボックス４２は、例えば、任意の留め具（図示せず）等を動かすことにより、円筒部４０から容易に分離することができるようになっている。
【００２６】
上記ファン４３は、汎用のものが用いられ、捕虫ボックス４２内を減圧にして、導光体２外から紫外線光源３の方へ気流７を生じさせる。なお、この気流７は、害虫６を引き寄せるのに十分なものであればよい。粘着シート４４も、汎用のものが用いられ、その表面に害虫６を確実に捕獲しながら空気を透過できる微小な孔が形成されている。
【００２７】
次に、上記のように構成された本実施形態に係る害虫防除器具１の動作を説明する。まず、通常の照明器具としての使用される際には、可視光源５を点灯させて、紫外線光源３は消灯させておく。また、気流発生部４を動作させることもない。なお、害虫防除器具１が通常の照明として使用される際の発光原理については、上述した汎用の導光体２を用いた照明器具と同様である。
【００２８】
また、害虫防除器具としての使用される際には、紫外線光源３を点灯させ、気流発生部４も動作させる。なお、可視光源５は点灯又は消灯していてもよい。この状態で、紫外線光源３から出射された紫外線Ｌ２は、可視光線Ｌ１と同様に、導光体２の内表面を効率よく、且つ均斉度が向上された状態で、反射層２２が配置されていない側の円周面から導光体２の外方に向かって照射され、害虫６を誘引する。
【００２９】
誘引された害虫６は、孔部２０の近傍に到達すると、気流７によって導光体２内へ引き入れられ。そして、導光体２内に吸引された害虫６は、紫外線光源３から出射される紫外線Ｌ２及び気流７により捕虫ボックス４２へと誘導され、その後、粘着シート４４によって捕獲される。
【００３０】
上述のように、本実施形態の害虫防除器具１は、紫外線光源３が備えられていない側の導光体２の一端に可視光源５が備えられているため、紫外線光源３と可視光源５とを切替え、又はこれらを併用することにより、害虫防除器具としての使用のみならず、通常の照明器具としての使用が可能となる。特に、導光体２の表面に、害虫６を導光体２の内部に引き入れる孔部２０が設けられており、また、害虫６は紫外線Ｌ２及び気流７によって捕虫ボックス４２へ引き寄せられるので、導光体２の内表面及び外表面に害虫６の死骸等が付着して汚れることがない。そのため、害虫防除器具としての使用に際しては、捕虫効率を維持するメンテナンスの手間が軽減され、また、通常の照明器具として使用に際しては、快適な照明環境を与えることができる。
【００３１】
更に、本実施形態に係る害虫防除器具１は、紫外線光源３の近傍に捕虫ボックス４２を設け、この捕虫ボックス４２を容易に分離可能としたので、この部分のみを取り外してメンテナンスすればよく、害虫防除器具及び照明器具としてのメンテナンスの手間も軽減される。
【００３２】
また、上記の捕虫ボックス４２及びファン４３が円筒部４０に固定されていて、害虫６を捕獲する粘着シート４４のみが取り替えられるような構成を用いてもよく、これにより、害虫防除器具１のメンテナンスの手間が更に軽減される。
【００３３】
次に、上記害虫防除器具１の取付構造の実施形態について図４を参照して説明する。この取付構造は、上述の実施形態に係る害虫防除器具１において、紫外線光源３が、孔部２０よりも高い位置に設置されるようにしたことにある。すなわち、図４において上方向が高い位置となる。本取付構造は、害虫防除器具１が垂直方向に設置されることを想定しているが、例えば、エスカレータの照明を兼ねた害虫防除器具として設置されるときには、傾斜させた状態で配置されることもあり、図４に示される構成に限られず、紫外線光源３が、孔部２０よりも高い位置に設置されればよい。
【００３４】
一般に、虫は上方に向かって飛行する習性があるが、本実施形態の取付構造を用いると、この習性を利用することができる。そのため、この取付構造を用いた害虫防除器具１は、紫外線光源３が、孔部２０よりも高い位置に設置されていない構造の害虫防除器具１よりも、導光体２の内部に引き入れられた害虫を、更に的確に紫外線光源３の方へ誘導することができる。
【００３５】
本実施形態では、特に、可視光源５の近傍には害虫６が滞留し難くなることから、可視光源５が害虫６の死骸等で汚れるのが抑制される。このため、害虫防除器具１が通常の照明器具として使用される際に、快適な照明環境を与えることができると共に、可視光源５のメンテナンスの手間が削減される。
【００３６】
なお、本発明は、上記実施形態の構成に限られることなく種々の変形が可能である。例えば、長い導光体２が用いられると、ファン４３から離れた位置になる程、気流７の流れが弱くなり、十分に害虫６を吸引することができなくなるが、これを回避するものとして、導光体２の可視光源５側の一端にも気流発生部４が配置される構成を用いてもよい。
【図面の簡単な説明】
【００３７】
【図１】本発明の一実施形態に係る害虫防除器具の外観図。
【図２】（ａ）は導光体を用いた汎用の照明器具の断面図、（ｂ）は導光体の一部を破断した斜視図。
【図３】上記害虫防除器具の断面図。
【図４】上記害虫防除器具の取付構造の実施形態を示す断面図。
【符号の説明】
【００３８】
１    害虫防除器具
２    導光体
２０    孔部
２１    導光
２２    反射層
２３    拡散層
３    紫外線光源
４    気流発生部
５    可視光源
Ｌ１    可視光線
Ｌ２    紫外線
【図１】
0004702158.tif 000002
【図２】
0004702158.tif 000003
【図３】
0004702158.tif 000004
【図４】
0004702158.tif 000005